(57)【特許請求の範囲】
【請求項１】
略円筒状の巻き枠スプール（１３１）に巻かれた巻き線（１３２）からなるソレノイドコイルであって、
前記巻き線（１３２）の巻き始め側が少なくとも１回巻き付けられた第１端末巻き付け部（１３４）を設け、
前記第１端末巻き付け部（１３４）に巻き付けられた前記巻き線（１３２）のうち前記巻き枠スプール（１３１）に巻き付けられる側の巻き線が巻き付けられた第２端末巻き付け部（１３５）を設け、
さらに、前記第２端末巻き付け部（１３５）は、前記第１端末巻き付け部（１３４）に巻き付けられた前記巻き線（１３２）が交差することなく平行な螺旋状態となるように前記第１端末巻き付け部（１３４）より前記巻き枠スプール（１３１）の径外方側に位置していることを特徴とするソレノイドコイル。
【請求項２】
略円筒状の巻き枠スプール（１３１）に巻かれた巻き線（１３２）からなるソレノイドコイルであって、
前記巻き枠スプール（１３１）の径外方側に、前記巻き線（１３２）の巻き始め側が少なくとも１回巻き付けられた第１端末巻き付け部（１３４）を設け、
さらに、前記第１端末巻き付け部（１３４）に巻き付けられた前記巻き線（１３２）のうち前記巻き枠スプール（１３１）に巻き付けられる側の巻き線が、交差した状態で巻き付けられた第２端末巻き付け部（１３５）を設け、
前記第２端末巻き付け部（１３５）は、前記第１端末巻き付け部（１３４）より前記巻き枠スプール（１３１）の径外方側に位置し、前記第２端末巻き付け部（１３５）における巻き始め部（Ａ）が、前記第１端末巻き付け部（１３４）における巻き終わり部（Ｂ）より前記巻き枠スプール（１３１）の径方向外方側に位置しており、前記第１端末巻き付け部（１３４）に巻き付けられた前記巻き線（１３２）は、交差することなく平行な螺旋状態となっていることを特徴とするソレノイドコイル。
【請求項３】
前記巻き枠スプール（１３１）の長手方向一端側にフランジ部（１３３ａ）が形成されており、
前記フランジ部（１３３ａ）に前記第１端末巻き付け部（１３４）が形成され、さらに前記フランジ部（１３３ａ）のうち前記第１端末巻き付け部（１３４）から前記巻き枠スプール（１３１）の円周方向に所定角度ずれた部位に前記第２端末巻き付け部（１３５）が形成されていることを特徴とする請求項１または２に記載のソレノイドコイル。
【請求項４】
請求項１ないし３のいずれか１つに記載のソレノイドコイルを、電気回路を開閉するリレー用のコイルとして備えてなるリレー。
【発明の詳細な説明】
【０００１】
【発明の属する技術分野】
本発明は、略円筒状の巻き枠スプール（以下、スプールと略す。）に巻かれた巻き線からなるソレノイドコイルに関するもので、電磁継電器（リレー）、ブザー、電磁弁等の電磁機器用ソレノイドコイル（作動コイル）に適用して有効である。
【０００２】
【従来の技術】
ソレノイドコイル（以下、コイルと略す。）は、周知のごとく、スプールに巻き線を螺旋状（ソレノイド状）に巻いたものであるが、巻き線を巻くに当たっては、巻き線に張力（以下、この張力を巻付張力と呼ぶ。）が作用するので、巻き始め側の巻き線を何らかの手段によってスプールに（仮）固定する必要がある。
【０００３】
そこで、一般的に、図３（ａ）に示すように、スプールの径外方向に形成された端末巻き付け部ａに巻き始め側の巻き線（以下、この巻き線を第１余線と呼ぶ。）ｗ１を少なくとも１回巻き付けた後、スプールに巻き付けられる側の巻き線（以下、この巻き線を本線と呼ぶ。）ｗ２をスプールに巻き付けている。なお、巻き終わり側の巻き線（以下、この巻き線を第２余線と呼ぶ。）ｗ３は、末巻き付け部ｂに巻き付けられる。
【０００４】
【発明が解決しようとする課題】
ところで、発明者等は、コイルの小型化を図るべく、巻き線の線径を細くすることを検討していたところ、以下に述べる問題点を発見した。
【０００５】
すなわち、上記手段では、巻き始め側の端末巻き付け部ａがスプールより径外方側に位置しているので、端末巻き付け部ａに巻き付けられた第１余線は、図３（ｂ）に示すように、紙面左側（スプール側）から径外方側に螺旋状に少なくなくとも１回巻き分だけ進んだ後、既に巻かれた第１余線ｗ１と交差するようにして、本線としてスプール側に向けて延びた状態となる。
【０００６】
このため、本線をスプールに巻き付ける際の巻付張力により、交差する状態で端末巻き付け部ａに巻き付けられた余線ｗ１が締まっていき、本線の巻き付けが完了したときも、その締まった状態が保持されてしまう。一方、第１余線の端部は端子（ターミナル）に固定されるので、第１余線は、その端部側及び端末巻き付け部ａ側の両端側が固定された状態となる。
【０００７】
したがって、電磁機器が作動して端末巻き付け部ａ（コイル）が端子に対して振動すると、この振動によって大きなストレス（応力）が第１余線（特に、巻き付けられて締まっている部位）に発生する可能性が高く、巻き線が細い場合には、第１余線が破断するおそれもある。
【０００８】
なお、第２余線ｗ３には巻付張力が作用しないので、第２余線が締まっていくことはなく、むしろ、次第に緩んでいく。このため、電磁機器が作動して端末巻き付け部ａ（コイル）が端子に対して振動しても、第２余線に大きなストレス（応力）が発生することはない。
【０００９】
本発明は、上記点に鑑み、コイルの振動に伴って発生する余線の応力を緩和することを目的とする。
【００１３】
【課題を解決するための手段】
本発明は、上記目的を達成するために、請求項１に記載の発明では、巻き線（１３２）の巻き始め側が少なくとも１回巻き付けられた第１端末巻き付け部（１３４）を設け、第１端末巻き付け部（１３４）に巻き付けられた巻き線（１３２）のうち巻き枠スプール（１３１）に巻き付けられる側の巻き線が巻き付けられた第２端末巻き付け部（１３５）を設け、さらに、第２端末巻き付け部（１３５）は、第１端末巻き付け部（１３４）に巻き付けられた巻き線（１３２）が交差することなく平行な螺旋状態となるように第１端末巻き付け部（１３４）より巻き枠スプール（１３１）の径外方側に位置していることを特徴とする。
【００１４】
これにより、第１端末巻き付け部（１３４）に巻き付けられた巻き線が交差しないので、この巻き線（１３２）が締まっていくことを防止できる。したがって、第１端末巻き付け部（１３４）に巻き付けられた巻き線は、次第に緩んでいくので第１端末巻き付け部（１３４）が振動しても、巻き線に大きなストレス（応力）が発生することを防止できる。延いては、巻き線（１３２）が破断することを未然に防止しながら、巻き線（１３２）を細くしてソレノイドコイルの小型化を図ることができる。
【００１７】
請求項２に記載の発明では、巻き枠スプール（１３１）の径外方側に、巻き線（１３２）の巻き始め側が少なくとも１回巻き付けられた第１端末巻き付け部（１３４）を設け、さらに、第１端末巻き付け部（１３４）に巻き付けられた巻き線（１３２）のうち巻き枠スプール（１３１）に巻き付けられる側の巻き線が、交差した状態で巻き付けられた第２端末巻き付け部（１３５）を設け、第２端末巻き付け部（１３５）は、第１端末巻き付け部（１３４）より巻き枠スプール（１３１）の径外方側に位置し、第２端末巻き付け部（１３５）における巻き始め部（Ａ）が、第１端末巻き付け部（１３４）における巻き終わり部（Ｂ）より巻き枠スプール（１３１）の径方向外方側に位置しており、第１端末巻き付け部（１３４）に巻き付けられた巻き線（１３２）は、交差することなく平行な螺旋状態となっていることを特徴とする。
【００１８】
これにより、巻き線（１３２）は第２端末巻き付け部（１３５）に対して仮固定された状態となるので、巻付張力は、第２端末巻き付け部（１３５）に巻き付けられた巻き線（１３２）で受けることとなる。このため、第１端末巻き付け部（１３４）に巻き付けられた巻き線（１３２）に巻付張力が作用しないので、第１端末巻き付け部（１３４）に巻き付けられた巻き線（１３２）が締まっていくことを防止できる。
【００１９】
したがって、請求項１に記載の発明と同様に、巻き線（１３２）が破断することを未然に防止しながら、巻き線（１３２）を細くしてソレノイドコイルの小型化を図ることができる。
【００２０】
請求項３に記載の発明では、請求項１または２に記載のソレノイドコイルにおいて、巻き枠スプール（１３１）の長手方向一端側にフランジ部（１３３ａ）が形成されており、フランジ部（１３３ａ）に第１端末巻き付け部（１３４）が形成され、さらにフランジ部（１３３ａ）のうち第１端末巻き付け部（１３４）から巻き枠スプール（１３１）の円周方向に所定角度ずれた部位に第２端末巻き付け部（１３５）が形成されていることを特徴とする。また、請求項４に記載の発明では、請求項１ないし３のいずれか１つに記載のソレノイドコイルを、電気回路を開閉するリレー用のコイルとして備えてなるリレーを特徴とする。
【００２３】
因みに、上記各手段の括弧内の符号は、後述する実施形態に記載の具体的手段との対応関係を示す一例である。
【００２４】
【発明の実施の形態】
本実施形態は、本発明に係るソレノイドコイルを電気回路をＯＮ−ＯＦＦ（開閉）等する電磁継電器（リレー）用のコイル１３０に適用したものであって、図１はリレー１００の正面図である。
【００２５】
図１中、１１０は固定接点であり、１２０は固定接点１１０に対して可動する可動接点である。１２１は可動接点１２０が固定接点１１０から離れる向きの弾性力を可動接点１２０に作用させるとともに、電気回路の一部を兼ねる板バネ（弾性部材）であり、この板バネ１２１には、コイル１３０及びコイル１３０に装着された固定鉄心１４０側に吸引される可動鉄片１２２が装着されている。
【００２６】
このため、コイル１３０に通電すると、その電磁吸引力により可動鉄片１２２が固定鉄心１４０に吸引され、可動接点１２０が固定接点１１０側に移動するので、電気回路が閉じる。一方、コイル１３０への通電が遮断されると、板バネ１２１弾性力により可動接点１２０が固定接点１１０から離れるので、電気回路が開く。
【００２７】
なお、１４１はコイル１３０により誘起された磁束の磁路を構成するとともに、コイル１３０及び板バネ１２１を保持するヨークであり、１４２はヨーク１４１及び固定接点１１０が設けられた第１接点ターミナル１４３、板バネ１２１を介して可動接点１２０と電気的に繋がった第２接点ターミナル１４４、及びコイル１３０に電力を供給するコイルターミナル１４５等が挿入固定された樹脂製のベースであり、１４７はコイル１３０等を覆うカバーである。
【００２８】
次に、コイル１３０について述べる。
【００２９】
図２（ａ）は、本実施形態に係るコイル１３０の斜視図であり、このコイル１３０は、固定鉄心１４０が挿入される略円筒状の巻き枠スプール（以下、スプールと略す。）１３１、及びスプール１３１に巻かれた巻き線１３２等からなるものである。
【００３０】
そして、スプール１３１の長手方向両端側には、その全周に渡ってスプール１３１の径外方側に延出するフランジ部１３３ａ、１３３ｂが形成されており、これらフランジ部のうち長手方向一端側（紙面下方側）のフランジ部１３３ａの径外方向外方側には、巻き線１３２のうち巻き始め側の巻き線（以下、この巻き線を第１余線と呼ぶ。）１３２ａが少なくとも１回巻き付けられた第１端末巻き付け部１３４が形成されている。
【００３１】
また、フランジ部１３３ａのうち、第１端末巻き付け部１３４から巻き線１３２の巻き方向（スプール１３１の円周方向）に所定角度ずれた部位であって、第１端末巻き付け部１３４より（スプール１３１の）径方向外側には、第１端末巻き付け部１３４に巻き付けられた第１余線１３２ａのうちスプール１３１に巻き付けられる側の巻き線（以下、この巻き線を渡り線と呼ぶ。）１３２ｂが少なくとも１回巻き付けられる第２端末巻き付け部１３５が形成されている。
【００３２】
なお、１３６は巻き線１３２のうち巻き終わり側の巻き線（以下、この巻き線を第２余線と呼ぶ。）１３２ｃを巻き付ける第３端末巻き付け部であり、第１、２余線１３２ａ、１３２ｂの端部は、図１に示すように、コイルターミナル１４５に電気的に繋がったフュージングターミナル１４６に接続されている。因みに、第２端末巻き付け部１３５からスプール１３１（径内方側）に延びてスプール１３１に巻き付けられる巻き線１３２を本線１３２ｄと呼ぶ。
【００３３】
次に、本実施形態の特徴を述べる。
【００３４】
本実施形態によれば、第２端末巻き付け部１３５が第１端末巻き付け部１３４よりスプール１３１の径方向外側に位置しているので、図２（ａ）に示すように、渡り線１３２ｂは第１端末巻き付け部１３４から径外方側に向けて第２端末巻き付け部１３５に渡されることとなる。このため、第２端末巻き付け部１３５における巻き始め部Ａが、第１端末巻き付け部１３４における巻き終わり部Ｂより、スプール１３１の径方向外方側に位置することとなり、第１端末巻き付け部１３４に巻き付けられた第１余線１３２ａは、図２（ｂ）に示すように、交差することなく平行な螺旋状態となる。
【００３５】
したがって、第１余線１３２ａが締まっていくことを防止できるので、第１端末巻き付け部１３４に巻き付けられた第１余線１３２ａは、第２余線１３２ｃと同様に、次第に緩んでいく。したがって、リレー１００が作動して第１端末巻き付け部１３４（コイル１３０）がフュージングターミナル１４６に対して振動しても、第１余線１３２ａに大きなストレス（応力）が発生することを防止できる。
【００３６】
延いては、第１余線１３２ａが破断することを未然に防止しながら、巻き線１３２を細くしてコイル１３０（リレー１００）の小型化を図ることができる。
【００３７】
なお、第２端末巻き付け部１３５に巻き付けられた渡り線１３２ｂは、「発明が解決しようとする課題」の欄で述べた端末巻き線部ａにおける第１余線ｗ１と同様に、既に巻かれた渡り線１３２ｂと交差するようにして、本線１３２ｄとしてスプール１３１側に向けて延びて、巻付張力により締まった状態となっているものの、リレー１００が作動して第２端末巻き付け部１３５がフュージングターミナル１４６に対して振動しても、これと略同位相で第１端末巻き付け部１３４もフュージングターミナル１４６に対して振動するので、第２端末巻き付け部１３５は第１端末巻き付け部１３４に対して振動しない状態となる。したがって、渡り線１３２ｂに大きなストレス（応力）が発生することはない。
【００３８】
ところで、第２端末巻き付け部１３５に巻き付けられた渡り線１３２ｂは、第２端末巻き付け部１３５に交差した状態で巻き付けられているとともに、巻付張力が作用するので、渡り線１３２ｂは第２端末巻き付け部１３５に対して仮固定された状態となる。
【００３９】
したがって、本線１３２ｄを巻き付ける際の巻付張力は、第２端末巻き付け部１３５に巻き付けられた渡り線１３２ｂで受けることとなるので、第１端末巻き付け部１３４に巻き付けられた第１余線１３２ａに巻付張力が作用しない。
【００４０】
このため、第１余線１３２ａが締まっていくことをより確実に防止できるとともに、仮に第１余線１３２ａが既に巻かれた第１余線１３２ａと交差するように第１端末巻き付け部１３４に巻き付けられた場合であっても、第１端末巻き付け部１３４に巻き付けられた第１余線１３２ａに巻付張力が作用しないので、第１余線１３２ａが締まっていくことを防止できる。
【００４１】
つまり、本線１３２ｄを巻き付ける際の巻付張力は、第２端末巻き付け部１３５に巻き付けられた渡り線１３２ｂで受けることができれば、第２端末巻き付け部１３５を第１端末巻き付け部１３４よりスプール１３１の径方向内側に位置させても第１余線１３２ａが締まっていくことを防止できる。
【００４２】
なお、この場合、第２端末巻き付け部１３５に巻き付けられた渡り線１３２ｂが、第２端末巻き付け部１３５に交差した状態で巻き付けられて仮固定された状態となるが、交差することなく平行な螺旋状態で複数回以上巻き付けることによって、本線１３２ｄを巻き付ける際の巻付張力を第２端末巻き付け部１３５に巻き付けられた渡り線１３２ｂで受けるようにしてもい。
【００４３】
ところで、上述の実施形態では、本発明に係るソレノイドコイルをリレー１００に適用したが、本発明はこれに限定されるものではなく、ブザー、電磁弁等の電磁機器用ソレノイドコイルにも適用することができる。
【００４４】
また、第２余線１３２ｃを第２端末巻き付け部１３５に巻き付けることにより、第２端末巻き付け部１３５と第３端末巻き付け部１３６とを兼ねて（第３端末巻き付け部１３６を廃止して）もよい。
【図面の簡単な説明】
【図１】本発明の実施形態に係るソレノイドコイルを適用したリレーの正面図である。
【図２】（ａ）は本発明の実施形態に係るソレノイドコイルの斜視図であり、（ｂ）は第１端末巻き付け部の拡大図である。
【図３】（ａ）は従来の技術に係るソレノイドコイルの斜視図であり、（ｂ）は端末巻き付け部の拡大図である。
【符号の説明】
１３１…巻き枠スプール、１３２…巻き線、１３２ａ…第１余線、
１３２ｂ…渡り線、１３２ｃ…第２余線、１３２ｄ…本線、
１３３ａ、１３３ｂ…フランジ部、１３４…第１端末巻き付け部、
１３５…第２端末巻き付け部、１３６…第３端末巻き付け部
【図１】
0004258898.tif 000002
【図２】
0004258898.tif 000003
【図３】
0004258898.tif 000004